(57)【要約】【課題】原料に伸長作用を付与する機能をスクリュ自体に持たせることで、押出機（スクリュ）を長尺化させること無く、当該スクリュによって搬送されるすべての原料に対して漏れなく伸長作用を付与して、その混練の度合いを向上させる押出技術を提供する。【解決手段】スクリュ本体１１のうち混練部１１ｃが設けられた部分には、搬送部２２、障壁部２３、通路３７が、複数の個所に亘って設けられている。そのうちの少なくとも１つの箇所において、通路は、スクリュ本体の内部に設けられ、入口３８と出口４０を有する。入口は、障壁部によって搬送が制限されることで圧力が高められた原料が流入するように開口されている。通路は、入口から流入した原料が搬送部による搬送方向とは逆方向に流通するように構成されている。出口は、入口が開口された搬送部を外れた位置で、スクリュ本体の外周面に開口されている。【選択図】図１
2015227053.tif 000002
【特許請求の範囲】
【請求項１】
供給された材料を連続的に搬送する移送部と、
搬送された前記材料を連続的に溶融および混合する溶融混合部と、
前記材料を溶融および混合することで得られた原料を連続的に混練する混練部と、を有し、
前記移送部、前記溶融混合部、前記混練部は、直線状の軸線を中心に回転するスクリュ本体に設けられているとともに、
前記スクリュ本体のうち前記混練部が設けられた部分には、原料を搬送する搬送部と、原料の搬送を制限する障壁部と、原料が流通する通路とが、複数の個所に亘って設けられており、
そのうちの少なくとも１つの箇所において、
前記通路は、前記スクリュ本体の内部に設けられ、入口および出口を有し、
前記入口は、前記障壁部によって搬送が制限されることで圧力が高められた原料が流入するように、前記搬送部における前記スクリュ本体の外周面に開口され、
前記通路は、前記入口から流入した原料が、前記出口に向かって、前記搬送部による搬送方向とは逆方向に流通するように構成され、
前記出口は、前記入口が開口された前記搬送部を外れた位置で、前記スクリュ本体の外周面に開口されている押出機用スクリュ。
【請求項２】
前記スクリュ本体のうち前記混練部が設けられた部分は、その全長に亘って、その外径が一定値となるように構成されている請求項１に記載の押出機用スクリュ。
【請求項３】
前記通路の口径は、当該通路における前記入口の口径と同一、あるいは、小さく設定されている請求項１に記載の押出機用スクリュ。
【請求項４】
前記通路の口径は、１ｍｍ以上かつ６ｍｍ未満に設定されている請求項１に記載の押出機用スクリュ。
【請求項５】
前記スクリュ本体は、回転装置に連結される基端から先端に亘り軸方向に沿って延出しており、
前記搬送部には、前記スクリュ本体の外周面に沿って螺旋状にねじれたフライトが設けられ、
前記フライトは、前記スクリュ本体の基端から先端に向かって、前記基端の側から見た場合の当該スクリュ本体の回転方向と同方向にねじれている請求項１ないし４のいずれか１項に記載の押出機用スクリュ。
【請求項６】
請求項１ないし５のいずれか１項に記載の押出機用スクリュを備えた押出機であって、
前記押出機用スクリュが回転可能に挿通されたシリンダを有するバレルと、
前記バレルに設けられ、前記シリンダ内に材料を供給する供給口と、
前記バレルに設けられ、前記スクリュによって生成された混練物が連続的に押し出される吐出口と、を備えている押出機。
【請求項７】
請求項１ないし５のいずれか１項に記載の押出機用スクリュで原料を混練し、その混練物を連続的に生成して押し出す押出方法であって、
前記混練物を連続的に押し出す間に、前記混練部において、前記スクリュ本体の外周面に沿って搬送された原料は、前記通路を流通した後、前記スクリュの外周面に帰還する押出方法。
【請求項８】
前記混練部において、
前記スクリュ本体の外周面に沿って搬送された原料は、当該混練部に設けられた前記障壁部によって搬送が制限されることで、その圧力が高められ、
当該圧力が高められた原料が、前記入口から前記通路に流入する請求項７に記載の押出方法。
【請求項９】
前記混練部において、
前記入口から前記通路に流入した原料は、当該通路内を前記搬送部による搬送方向とは逆方向に流通する請求項８に記載の押出方法。
【請求項１０】
前記混練部において、
前記通路を通過した原料は、前記入口が開口された前記搬送部を外れた位置で、前記出口から前記スクリュ本体の外周面に流出する請求項９に記載の押出方法。
【発明の詳細な説明】
【技術分野】
【０００１】
本発明は、押出機（スクリュ）を長尺化させること無く、混練の度合いを向上させることが可能な押出技術に関する。
【背景技術】
【０００２】
従来、原料が広い箇所から狭い箇所を通過する際に、原料に付与される「伸長作用」を利用して、混練の度合いを向上させる押出技術が知られている。例えば、特許文献１および特許文献２には、原料に伸長作用を付与する伸長付与機構を、押出機（スクリュ）の先端に増設した押出技術が開示されている。さらに、特許文献３には、伸長度合いの高い流れを増大させる伸長付与領域を、螺旋状のフライトが設けられた一対のスクリュ相互間に確保した押出技術が開示されている。
【先行技術文献】
【特許文献】
【０００３】
【特許文献１】特開平７−２２７８３６号公報
【特許文献２】特開２０１０−１３７４０５号公報
【特許文献３】特開２０１３−１２３８４１号公報
【発明の概要】
【発明が解決しようとする課題】
【０００４】
しかしながら、特許文献１および特許文献２に開示された押出技術では、伸長付与機構を増設した分だけ押出機全体が長尺化してしまう。特に、特許文献２の段落「００２７」には、「平行に対向させた面相互の隙間に、原料を複数回通過させることで、当該原料に伸長作用が付与される。」といった記載がされている。よって、かかる記載内容を実現するためには、押出機全体のさらなる長尺化は避けられない。
【０００５】
また、特許文献３の押出技術において、一対のスクリュによって搬送される原料は、伸長付与領域を通過するもの以外に、当該伸長付与領域を回避しつつ螺旋状のフライトに沿って流動するものが存在する。従って、特許文献３の押出技術では、一対のスクリュによって搬送される原料のすべてが、漏れなく伸長付与領域を通過しているか不明である。この場合、原料のすべてを、漏れなく伸長付与領域に通過させるためには、伸長付与領域を十分に長く確保する必要がある。しかしながら、そうすると、伸長付与領域を長くした分だけ、押出機（スクリュ）が長尺化してしまう。
【０００６】
そこで、本発明の目的は、原料に伸長作用を付与する機能をスクリュ自体に持たせることで、押出機（スクリュ）を長尺化させること無く、当該スクリュによって搬送されるすべての原料に対して漏れなく伸長作用を付与して、その混練の度合いを向上させる押出技術を提供することにある。
【課題を解決するための手段】
【０００７】
このような目的を達成するために、本発明の押出機用スクリュは、供給された材料を連続的に搬送する移送部と、搬送された前記材料を連続的に溶融および混合する溶融混合部と、前記材料を溶融および混合することで得られた原料を連続的に混練する混練部と、を有し、前記移送部、前記溶融混合部、前記混練部は、直線状の軸線を中心に回転するスクリュ本体に設けられているとともに、前記スクリュ本体のうち前記混練部が設けられた部分には、原料を搬送する搬送部と、原料の搬送を制限する障壁部と、原料が流通する通路とが、複数の個所に亘って設けられており、そのうちの少なくとも１つの箇所において、前記通路は、前記スクリュ本体の内部に設けられ、入口および出口を有し、前記入口は、前記障壁部によって搬送が制限されることで圧力が高められた原料が流入するように、前記搬送部における前記スクリュ本体の外周面に開口され、前記通路は、前記入口から流入した原料が、前記出口に向かって、前記搬送部による搬送方向とは逆方向に流通するように構成され、前記出口は、前記入口が開口された前記搬送部を外れた位置で、前記スクリュ本体の外周面に開口されている。
【０００８】
本発明は、上記した押出機用スクリュを備えた押出機であって、前記押出機用スクリュが回転可能に挿通されたシリンダを有するバレルと、前記バレルに設けられ、前記シリンダ内に材料を供給する供給口と、前記バレルに設けられ、前記スクリュによって生成された混練物が連続的に押し出される吐出口と、を備えている。
【０００９】
本発明は、上記した押出機用スクリュで原料を混練し、その混練物を連続的に生成して押し出す押出方法であって、前記混練物を連続的に押し出す間に、前記混練部において、前記スクリュ本体の外周面に沿って搬送された原料は、前記通路を流通した後、前記スクリュの外周面に帰還する。
【発明の効果】
【００１０】
本発明によれば、原料に伸長作用を付与する機能をスクリュ自体に持たせることで、押出機（スクリュ）を長尺化させること無く、当該スクリュによって搬送されるすべての原料に対して漏れなく伸長作用を付与して、その混練の度合いを向上させる押出技術を実現することができる。
【図面の簡単な説明】
【００１１】
【図１】本発明の一実施形態に係る単軸押出機の全体の構成において、押出機用スクリュの外部構成が示された横断面図。
【図２】本発明の一実施形態に係る単軸押出機のうち、混練部における押出機用スクリュの内部構成が示された横断面図。
【図３】図２のＦ３−Ｆ３線に沿う断面図。
【図４】図２のＦ４−Ｆ４線に沿う断面図。
【図５】３つの筒体に跨って形成された通路の構成を一部拡大して示す断面図。
【図６】図５に示された障壁用円環状体を一部拡大して示す斜視図。
【図７】押出機用スクリュによって生じる原料の流動状態を模式的に示す図。
【図８】押出機のシリンダ内における原料の流動状態を一部拡大して示す断面図。
【図９】（Ａ）は、本発明の変形例において、通路の入口部分の構成を拡大して示す断面図、（Ｂ）は、図９（Ａ）のＦ９Ｂ−Ｆ９Ｂ線に沿う断面図。
【図１０】（Ａ）は、本発明の変形例において、通路の出口部分の構成を拡大して示す断面図、（Ｂ）は、図１０（Ａ）のＦ１０Ｂ−Ｆ１０Ｂ線に沿う断面図。
【図１１】（Ａ）は、本発明の変形例において、通路の入口部分の構成を拡大して示す断面図、（Ｂ）は、図１１（Ａ）のＦ１１Ｂ−Ｆ１１Ｂ線に沿う断面図。
【図１２】（Ａ）は、本発明の変形例において、通路の出口部分の構成を拡大して示す断面図、（Ｂ）は、図１２（Ａ）のＦ１２Ｂ−Ｆ１２Ｂ線に沿う断面図。
【図１３】（Ａ）は、本発明の変形例において、通路の入口部分の構成を拡大して示す断面図、（Ｂ）は、図１３（Ａ）のＦ１３Ｂ−Ｆ１３Ｂ線に沿う断面図。
【図１４】（Ａ）は、本発明の変形例において、通路の出口部分の構成を拡大して示す断面図、（Ｂ）は、図１４（Ａ）のＦ１４Ｂ−Ｆ１４Ｂ線に沿う断面図。
【図１５】本発明の変形例において、混練部を構成する筒体の内周面に沿って通路が設けられた押出機用スクリュの構成を概略的に示す縦断面図。
【図１６】本発明の変形例において、混練部を構成する回転軸の外周面に沿って通路が設けられた押出機用スクリュの構成を概略的に示す縦断面図。
【図１７】本発明の変形例において、混練部を構成するキーの表面に沿って通路が設けられた押出機用スクリュの構成を概略的に示す縦断面図。
【図１８】本発明の変形例において、スクリュ本体が１本の軸状部材で形成された押出機用スクリュの構成を概略的に示す縦断面図。
【図１９】本発明の変形例に係る二軸押出機の全体の構成において、押出機用スクリュの外部構成が示された横断面図。
【図２０】本発明の変形例において、フライトが設けられた障壁部の構成を一部拡大して示す断面図。
【発明を実施するための形態】
【００１２】
以下、本発明の一実施形態について、添付図面を参照して説明する。  
図１および図２には、本実施形態に係る単軸押出機１の構成が示されている。単軸押出機１は、１本の押出機用スクリュ２と、このスクリュ２が回転可能に挿通されたシリンダ３を有するバレル４と、を備えている。
【００１３】
バレル４には、その一端に熱可塑性樹脂などの複数の材料６を供給する供給口５が設けられている。供給口５は、バレル４を貫通してシリンダ３に連通している。また、バレル４には、その他端に吐出口７が設けられている。吐出口７は、バレル４の他端の開口を覆うように結合される蓋体８に構成されている。吐出口７からは、押出機用スクリュ２によって生成された混練物が連続的に押し出される。
【００１４】
さらに、バレル４には、冷却水を流す冷却水通路、ヒータおよび温度センサなど（いずれも図示しない）が設けられている。ヒータを制御してバレル４を設定温度まで加熱することで、シリンダ３内を加熱することができる。バレル４が設定温度を越えた場合、冷却水通路に冷却水を流してバレル４を冷却することで、シリンダ３内を設定温度まで冷却することができる。
【００１５】
押出機用スクリュ２は、基端から先端に亘って真っ直ぐに延出し、その全長は、バレル４のシリンダ３の全長に対応した長さに設定されている。これにより、押出機用スクリュ２は、バレル４のシリンダ３内に回転可能に挿通して配置させることができる。押出機用スクリュ２をバレル４のシリンダ３内に回転可能に挿通配置させた状態において、当該押出機用スクリュ２の基端は、供給口５が設けられたバレル４の一端の側に位置付けられるとともに、当該押出機用スクリュ２の先端は、吐出口７が設けられたバレル４の他端の側に位置付けられる。
【００１６】
押出機用スクリュ２の基端には、ストッパ部９が同軸状に設けられている。ストッパ部９は、押出機用スクリュ２をバレル４のシリンダ３内に回転可能に挿通・配置させた状態において、当該押出機用スクリュ２の基端の側におけるシリンダ３の開口を塞ぐように構成されている。これにより、シリンダ３内に供給された複数の材料６が機外に漏洩するのを防止することができる。ストッパ部９は、図示しないカップリングを介して例えばモータなどの回転装置に連結可能に構成されている。当該回転装置からの回転力がストッパ部９に伝達されると、押出機用スクリュ２は、その基端から先端に亘る直線状の軸線１０を中心に回転する。
【００１７】
さらに、押出機用スクリュ２には、これと一体となって回転するスクリュ本体１１を備えている。以下の説明において、スクリュ本体１１の回転方向（左回転、右回転）とは、当該スクリュ本体１１の基端の側から見た場合、換言すると、バレル４の供給口５から吐出口７の方向を見た場合の回転方向（左回転、右回転）である。同様に、フライト１２,２５,２６のねじれ方向（時計回り、逆時計回り）とは、スクリュ本体１１の基端の側から見た場合の当該フライト１２,２５,２６のねじれ方向（時計回り、逆時計回り）である。
【００１８】
スクリュ本体１１は、当該スクリュ本体１１の基端から先端に向かって順に、移送部１１ａ、溶融混合部１１ｂ、混練部１１ｃを有している。移送部１１ａは、供給口５からシリンダ３内に供給された複数の材料６を溶融混合部１１ｂに向けて連続的に搬送する。溶融混合部１１ｂは、複数の材料６を連続的に溶融して混合する。そして、混練部１１ｃには、各材料６を溶融および混合することで得られたものが、混練用原料として、連続的に導入される。混練部１１ｃでは、所望の混練物が連続的に生成される。
【００１９】
スクリュ本体１１のうち混練部１１ｃが設けられた部分は、原料にせん断作用を付与する部分（せん断作用領域）のみならず、特に、当該原料に伸長作用を付与する部分（伸長作用領域）を軸方向に沿って複数個所に亘って配置させて構成されている。これにより、原料を分散させる度合いが向上され、その結果、混練度合いに優れた混練物を生成することができる。そして、シリンダ３内で生成された混練物は、吐出口７を介して連続的に押し出される。
【００２０】
移送部１１ａから溶融混合部１１ｂに亘るスクリュ本体１１の外周面Ｍ１,Ｍ２には、螺旋状に捩じれたフライト１２が連続して形成されている。フライト１２は、供給口５からシリンダ３内に供給された各材料６を、移送部１１ａから溶融混合部１１ｂに亘って連続的に搬送するように構成されている。このため、フライト１２は、スクリュ本体１１の回転方向とは逆方向にねじれている。
【００２１】
図面には、スクリュ本体１１を左回転させて各材料６を搬送する場合のフライト１２が示されている。この場合、フライト１２のねじれ方向は、右ねじと同じように、時計回りに設定されている。なお、スクリュ本体１１を右回転させて各材料６を搬送する場合、フライト１２の捩じれ方向は、左ねじと同じように、逆時計回りに設定すればよい。
【００２２】
移送部１１ａにおけるスクリュ本体１１の外周面Ｍ１は、円柱形状を有し、その外周面Ｍ１とシリンダ３の内面３ｓとの隙間は、広く設定されている。溶融混合部１１ｂにおけるスクリュ本体１１の外周面Ｍ２は、移送部１１ａから混練部１１ｃに向かって末広がり形状を有し、その外周面Ｍ２とシリンダ３の内面３ｓとの隙間は、移送部１１ａから混練部１１ｃに向かって連続的に狭くなるように設定されている。
【００２３】
ここで、押出機用スクリュ２を左回転させた状態において、供給口５からシリンダ３に供給された各材料６は、フライト１２によって移送部１１ａから溶融混合部１１ｂに搬送される。溶融混合部１１ｂにおいて、各材料６は、ヒータにより加熱されつつ、主に連続的に狭くなった隙間からの圧縮を受けることで、溶融および混合された混練用原料を構成する。当該原料は、溶融混合部１１ｂから混練部１１ｃに連続的に搬送される。
【００２４】
スクリュ本体１１のうち混練部１１ｃが設けられた部分は、複数の円筒状の筒体１３と、これらの筒体１３を支持する１本の回転軸１４（図２参照）と、から構成されている。さらに、混練部１１ｃは、溶融混合部１１ｂから搬送された原料を導入するための導入部１５を有している。導入部１５は、溶融混合部１１ｂの端面１６に隣接するように構成されている。導入部１５の詳細は後述する。
【００２５】
回転軸１４は、スクリュ本体１１の先端から溶融混合部１１ｂの端面１６に亘る領域に設けられている。回転軸１４は、基端から先端に亘って真っ直ぐに延出し、その基端が溶融混合部１１ｂの端面１６に対して同軸状に接続されている。回転軸１４は、円柱形状を有しており、その外形輪郭は、溶融混合部１１ｂの端面１６の外形輪郭よりも小さく設定されている。
【００２６】
なお、回転軸１４の基端と溶融混合部１１ｂの端面１６との接続方法は、例えば、移送部１１ａから溶融混合部１１ｂに亘るスクリュ本体１１とともに、回転軸１４を同軸状に一体成形する方法、あるいは、移送部１１ａから溶融混合部１１ｂに亘るスクリュ本体１１と、回転軸１４とを別体で成形した後、回転軸１４の基端を溶融混合部１１ｂの端面１６に同軸状に連結させる方法など、既存の方法を適宜選択すればよい。
【００２７】
図３および図４に示すように、上記した回転軸１４に複数の筒体１３を支持させる支持構造の一例として、回転軸１４には、その外周面に一対のキー１７が設けられている。各キー１７は、回転軸１４の外周面に沿って周方向に１８０°ずれた位置に形成された一対の溝部１８に嵌め込まれている。各溝部１８は、回転軸１４の外周面を軸方向に沿って一部切り欠いて形成されている。
【００２８】
さらに、各筒体１３は、その内周面に沿って、回転軸１４を同軸状に貫通させることができるように構成されている。各筒体１３の内周面には、周方向に沿って１８０°ずれた位置にキー溝１９が形成されている。これら一対のキー溝１９は、当該筒体１３の内周面を軸方向に沿って一部切り欠いて形成されている。
【００２９】
図１ないし図４に示すように、各キー１７と各キー溝１９とを位置合わせしつつ、全ての筒体１３の内周面に回転軸１４を貫通させる。その後、回転軸１４の先端にカラー２０を介して固定ネジ２１をねじ込む。このとき、全ての筒体１３は、先端カラー２０と溶融混合部１１ｂの端面１６との間で挟持され、その挟持力によって、互いに隙間なく密着された状態に保持される。
【００３０】
上記した支持構造によって、全ての筒体１３が回転軸１４上で同軸状に結合されることで、当該各筒体１３と回転軸１４とが一体的に組み立てられる。各筒体１３と回転軸１４とが一体的に組み立てられることで、スクリュ本体１１は、基端から先端に亘って軸方向（長手方向）に延出した棒状部材として構成される。
【００３１】
これにより、各筒体１３を回転軸１４とともに軸線１０を中心に回転させること、すなわち、スクリュ本体１１を軸線１０を中心に回転させることが可能となる。さらに、スクリュ本体１１の基端は、回転軸１４の基端と一致するとともに、スクリュ本体１１の先端は、回転軸１４の先端と一致する。換言すると、スクリュ本体１１の基端は、バレル４の一端に対応する押出機用スクリュ２の基端と一致するとともに、スクリュ本体１１の先端は、バレル４の他端に対応する押出機用スクリュ２の先端と一致する。
【００３２】
このとき、スクリュ本体１１のうち混練部１１ｃが設けられた部分において、各筒体１３は、スクリュ本体１１の外径Ｄ１（図３参照）を規定する構成要素となる。当該混練部１１ｃにおいて、回転軸１４に沿って同軸状に結合された各筒体１３は、その外径Ｄ１が互いに同一に設定されている。スクリュ本体１１（各筒体１３）の外径Ｄ１は、回転軸１４の回転中心である軸線１０を通って規定される直径である。
【００３３】
これにより、混練部１１ｃにおけるスクリュ本体１１（各筒体１３）の外径Ｄ１が一定値であるセグメント式のスクリュ２が構成される。セグメント式のスクリュ２は、回転軸１４に沿って、複数のスクリュエレメントを、自由な順番および組み合わせで保持させることができる。スクリュエレメントとしては、例えば、少なくとも後述するフライト１２,２５,２６の一部が形成された筒体１３を、１つのスクリュエレメントとして規定することができる。
【００３４】
スクリュ２をセグメント化することで、例えば、スクリュ２の仕様の変更や調整、あるいは、保守やメンテナンスについて、その利便性を格段に向上させることができる。
【００３５】
なお、本実施形態において、複数の筒体１３と回転軸１４とを回り止め固定する構造としては、上記したようなキー１７とキー溝１９との組み合わせに係るものに限定されることはなく、これに代えて、スプライン構造（図示しない）を用いてもよい。
【００３６】
さらに、セグメント式のスクリュ２は、バレル４のシリンダ３に同軸状に収容されている。具体的には、複数のスクリュエレメントが回転軸１４に沿って保持されたスクリュ本体１１が、シリンダ３に回転可能に収容されている。この状態において、スクリュ本体１１（筒体１３）の外周面と、シリンダ３の内面３ｓとの間には、原料を搬送するための搬送路２９が形成されている。搬送路２９は、シリンダ３の径方向に沿う断面形状が円環形であり、シリンダ３に沿って軸方向に延びている。
【００３７】
本実施形態において、スクリュ本体１１のうち混練部１１ｃが設けられた部分には、上記した導入部１５と、この導入部１５によって導入された原料を搬送する複数の搬送部２２と、各搬送部２２によって搬送される原料の流動を制限する複数の障壁部２３と、が設けられている。搬送部２２および障壁部２３は、混練部１１ｃにおけるスクリュ本体１１の軸方向（長手方向）に沿って交互に並べて配置されている。
【００３８】
すなわち、混練部１１ｃにおけるスクリュ本体１１の基端の側には、障壁部２３が配置されている。障壁部２３は、導入部１５の構成として併用されている。この障壁部２３からスクリュ本体１１の先端に向かって、搬送部２２と障壁部２３とが交互に配置されている。
【００３９】
一方、混練部１１ｃにおけるスクリュ本体１１の先端の側には、吐出用搬送部２４が配置されている。吐出用搬送部２４は、シリンダ３内で混練された混練物を、他の搬送部２２による搬送方向とは逆方向に搬送するように構成されている。
【００４０】
各搬送部２２には、螺旋状にねじれたフライト２５が設けられている。フライト２５は、筒体１３の周方向に沿う外周面から搬送路２９に向けて張り出している。フライト２５は、スクリュ本体１１の基端から先端に向かって、スクリュ本体１１の回転方向と同方向にねじれている。
【００４１】
吐出用搬送部２４には、螺旋状にねじれたフライト２６が設けられている。フライト２６は、筒体１３の周方向に沿う外周面から搬送路２９に向けて張り出している。フライト２６は、スクリュ本体１１の回転方向とは逆方向にねじれている。
【００４２】
ここで、スクリュ本体１１を左回転させて原料を混練する場合、各搬送部２２のフライト２５は、スクリュ本体１１の先端から基端に向けて原料を搬送するように、ねじれている。すなわち、フライト２５のねじれ方向は、左ねじと同じように、逆時計回りに設定されている。
【００４３】
さらに、スクリュ本体１１を左回転させて原料を混練する場合、吐出用搬送部２４のフライト２６は、スクリュ本体１１の基端から先端に向けて原料を搬送するように、ねじれている。すなわち、フライト２６のねじれ方向は、右ネジと同じように、時計回りに設定されている。
【００４４】
これに対して、スクリュ本体１１を右回転させて原料を混練する場合、各搬送部２２のフライト２５は、スクリュ本体１１の先端から基端に向けて原料を搬送するように、ねじれている。すなわち、フライト２５のねじれ方向は、右ネジと同じように、時計回りに設定されている。
【００４５】
さらに、スクリュ本体１１を右回転させて原料を混練する場合、吐出用搬送部２４のフライト２６は、スクリュ本体１１の基端から先端に向けて原料を搬送するように、ねじれている。すなわち、フライト２６のねじれ方向は、左ねじと同じように、逆時計回りに設定されている。
【００４６】
各障壁部２３には、スクリュ本体１１の外周面に沿って周方向に連続した障壁用円環状体２８が設けられている。障壁用円環状体２８は、軸線１０を中心に周方向に沿って同心円状に連続した円筒面２８ｓを有している（図６参照）。円筒面２８ｓは、筒体１３の周方向に沿う外周面から搬送路２９に向けて張り出している。
【００４７】
この場合、各障壁部２３の外径部２３ｓと、シリンダ３の内面３ｓとの隙間２７（図８参照）は、０.０５ｍｍ以上かつ２ｍｍ以下の範囲に設定することが好ましい。さらに、より好ましくは、隙間２７を０.０５ｍｍ以上かつ０.７ｍｍ以下の範囲に設定する。これにより、原料が隙間２７を通過して搬送されるのを確実に制限することができる。よって、原料が各障壁部２３を越えて流動することは無い。
【００４８】
なお、各障壁部２３において、障壁用円環状体２８を設ける代わりに、例えば図２０に示すように、螺旋状にねじれたフライト４１を設けてもよい。フライト４１は、筒体１３の周方向に沿う外周面から搬送路２９に向けて張り出している。フライト４１は、スクリュ本体１１の回転方向とは逆方向にねじれている。
【００４９】
ここで、スクリュ本体１１を左回転させて原料を混練する場合、各障壁部２３のフライト４１は、スクリュ本体１１の基端から先端に向けて原料を搬送するように、ねじれている。すなわち、フライト４１のねじれ方向は、右ねじと同じように、時計回りに設定されている。
【００５０】
これに対して、スクリュ本体１１を右回転させて原料を混練する場合、各障壁部２３のフライト４１は、スクリュ本体１１の基端から先端に向けて原料を搬送するように、ねじれている。すなわち、フライト４１のねじれ方向は、左ねじと同じように、逆時計回りに設定されている。
【００５１】
各障壁部２３において、フライト４１のねじれピッチは、上記した各搬送部２２,２４におけるフライト２５,２６のねじれピッチと同じか、それよりも小さく設定されている。さらに、フライト２５,２６の頂部と、シリンダ３の内面３ｓとの間隔は、上記した隙間２７の範囲に設定されている。
【００５２】
ところで、スクリュ本体１１の軸方向に沿った搬送部２２,２４の長さは、例えば、原料の種類、原料の混練度合い、単位時間当たりの混練物の生産量などに応じて適宜設定される。搬送部２２,２４とは、少なくとも筒体１３の外周面にフライト２５,２６が形成された領域のことであるが、フライト２５,２６の始点と終点との間の領域に特定されるものではない。
【００５３】
すなわち、筒体１３の外周面のうちフライト２５,２６から外れた領域も、搬送部２２,２４とみなされることがある。例えば、フライト２５,２６を有する筒体１３と隣り合う位置に円筒状のスペーサあるいは円筒状のカラーが配置された場合、当該スペーサやカラーも搬送部２２,２４に含まれることがあり得る。
【００５４】
また、スクリュ本体１１の軸方向に沿った障壁部２３の長さは、例えば、原料の種類、原料の混練度合い、単位時間当たりの混練物の生産量などに応じて適宜設定される。障壁部２３は、搬送部２２によって送られる原料の流動を堰き止めるように機能する。すなわち、障壁部２３は、原料の搬送方向の下流側で搬送部２２と隣り合うとともに、搬送部２２によって送られる原料が、上記した隙間２７を通過して搬送されるのを妨げるように構成されている。
【００５５】
上記したスクリュ２（スクリュ本体１１）のうち混練部１１ｃが設けられた部分において、各フライト２５,２６および障壁用円環状体２８（円筒面２８ｓ）は、互いに同一の外径Ｄ１を有する複数の筒体１３の外周面から搬送路２９に向けて張り出している。このため、当該各筒体１３の周方向に沿う外周面は、当該混練部１１ｃにおけるスクリュ２の谷径を規定する。当該谷径は、上記した外径Ｄ１と一致し、スクリュ本体１１のうち混練部１１ｃが設けられた部分の全長に亘って一定値に保たれている。
【００５６】
この場合、谷の深さが浅くなるように、混練部１１ｃの谷径を大きく構成してもよい。かかる構成によれば、スクリュ２によって生成された混練物を吐出口７から安定して吐出させることができる。なお、谷の深さは、スクリュ本体１１（筒体１３）の外周面からフライト２５,２６,４１および障壁用円環状体２８（円筒面２８ｓ）の外径までの径方向に沿った高さ寸法として規定することができる。
【００５７】
さらに、スクリュ本体１１のうち混練部１１ｃが設けられた部分には、その内部に、軸方向に延びる複数の通路３７が設けられている。複数の通路３７は、スクリュ本体１１の軸方向および周方向に沿って並んでいる。図面には一例として、スクリュ本体１１の周方向に沿って等間隔に配置した２つの通路３７を、スクリュ本体１１の軸方向に沿って、９０°の位相差を与えながら並べた構成が示されている。
【００５８】
通路３７は、スクリュ２の回転中心である軸線１０から偏心した位置に設けられている。すなわち、通路３７は、軸線１０から外れている。このため、通路３７は、スクリュ本体１１の回転に伴って、軸線１０の回りを公転する。
【００５９】
通路３７の形状については、原料が流通可能であれば、その断面形状として、例えば、円形状、矩形状、楕円形状などに設定することができる。図面には一例として、断面が円形状の孔である通路３７が示されている。この場合、当該孔の内径（口径）は、１ｍｍ以上かつ６ｍｍ未満に設定することが好ましい。さらに好ましくは、当該孔の内径（口径）を、１ｍｍ以上かつ５ｍｍ未満に設定する。
【００６０】
スクリュ本体１１（混練部１１ｃ）の内部において、搬送部２２および障壁部２３の筒体１３は、孔である通路３７を規定する筒状の壁面３０（図３および図４参照）を有している。すなわち、通路３７は、中空の空間のみから成る孔である。壁面３０は、中空の通路３７を周方向に連続して取り囲んでいる。これにより、通路３７は、原料の流通のみを許容する中空の空間として構成されている。換言すると、通路３７の内部には、スクリュ本体１１を構成する他の要素は一切存在しない。この場合、壁面３０は、スクリュ本体１１が回転した時に、軸線１０を中心に自転することなく軸線１０の回りを公転する。
【００６１】
このような通路３７によれば、各搬送部２２によって搬送路２９を搬送された原料が当該通路３７を流通する際、当該原料に対して、広い箇所（搬送路２９）から狭い箇所（通路３７）を通過する際に生じる「伸長作用」を有効に利かせることができる。よって、通路３７は、原料に伸長作用を付与する部分（伸長作用領域）として規定される。
【００６２】
以下、上記した通路３７の具体的な構成について述べる。  
図２および図５に示すように、本実施形態に係る押出機用スクリュ２は、複数の搬送部２２と、複数の障壁部２３とが、軸方向（長手方向）に沿って交互に並んだスクリュ本体１１（混練部１１ｃ）の内部に、複数の通路３７が軸方向（長手方向）に沿って互いに間隔を存して設けられている。各通路３７には、障壁部２３によって搬送が制限された原料が流入する。各通路３７において、原料は、搬送部２２による搬送方向とは逆方向に流通する。かかるスクリュ構造により、原料にせん断作用と伸長作用とを連続して付与する機能を有するスクリュ本体１１（混練部１１ｃ）を備えたスクリュ２が実現される。
【００６３】
ここで、上記したスクリュ構造において、１つの障壁部２３と、当該障壁部２３の両側に隣接する２つの搬送部２２とに着目すると、１つの通路３７が、障壁部２３の筒体１３と、２つの搬送部２２の筒体１３とに跨って設けられている。かかる構成は、構造的にまとまった１つのユニットとして捉えることができる。
【００６４】
本実施形態に係るスクリュ本体１１（混練部１１ｃ）は、当該ユニットを軸方向（長手方向）に複数並べて構成されている。これにより、特定の原料の流れを追った場合、一度通ったところは二度と通らない一方通行型のスクリュ構造が実現される。
【００６５】
換言すると、上記した１つのユニットは、機能的にまとまった１つのモジュールとして捉えることができる。１つのモジュールの機能として、例えば、原料にせん断作用を付与する機能、原料に伸長作用を付与する機能、障壁部２３によって原料の搬送を堰き止める機能、障壁部２３によって圧力の高められた原料を通路３７へ導く機能、障壁部２３の直前で原料の充満率が１００％の原料溜まりＲを形成する機能などが想定される。
【００６６】
さらに、上記したスクリュ構造において、通路３７は、入口３８、出口４０、入口３８と出口４０との間を連通する通路本体３９を有している。入口３８および出口４０は、上記した１つのユニットにおいて、１つの障壁部２３の両側から離間して設けられている。すなわち、入口３８は、通路本体３９の一方側（スクリュ本体１１の基端寄りの部分）に設けられている。出口４０は、通路本体３９の他方側（スクリュ本体１１の先端寄りの部分）に設けられている。
【００６７】
具体的には、当該障壁部２３に対してスクリュ本体１１の基端の側から隣接した搬送部２２において、入口３８は、当該搬送部２２の下流端の付近の外周面に開口されている。一方、当該障壁部２３に対してスクリュ本体１１の先端の側から隣接した搬送部２２において、出口４０は、当該搬送部２２の上流端の付近の外周面に開口されている。
【００６８】
なお、入口３８および出口４０の形成位置は、当該搬送部２２の範囲内で自由に設定することができる。図面には一例として、１つの障壁部２３の両側から最も遠ざかった一番端に、入口３８および出口４０が形成された構成が示されている。
【００６９】
入口３８は、混練部１１ｃにおける筒体１３（スクリュ本体１１）の外周面から径方向に掘られた穴である。入口３８は、例えばドリルを用いた機械加工によって形成することができる。この結果、入口３８の底部３８ａは、ドリルの先端によって円錐状に削り取られた傾斜面となっている。換言すると、円錐状の底部３８ａは、当該スクリュ本体１１の外周面に向かって末広がり形状の傾斜面となっている。
【００７０】
出口４０は、混練部１１ｃにおける筒体１３（スクリュ本体１１）の外周面から径方向に掘られた穴である。出口４０は、例えばドリルを用いた機械加工によって形成することができる。この結果、出口４０の底部４０ａは、ドリルの先端によって円錐状に削り取られた傾斜面となっている。換言すると、円錐状の底部４０ａは、当該スクリュ本体１１の外周面に向かって末広がり形状の傾斜面となっている。
【００７１】
通路本体３９は、１つの障壁部２３の筒体１３から、当該障壁部２３の両側に隣接する２つの搬送部２２の筒体１３に亘って形成されている。通路本体３９は、第１ないし第３の部分３９ａ,３９ｂ,３９ｃから構成されている。
【００７２】
第１の部分３９ａは、障壁部２３に対してスクリュ本体１１の基端の側から隣接した搬送部２２の筒体１３に形成されている。第１の部分３９ａは、軸線１０に沿って平行に延びている。第１の部分３９ａの一端（障壁部２３の側）は、筒体１３の端面１３ａに開口されている。第１の部分３９ａの他端（障壁部２３とは反対側）は、筒体１３の端壁１３ｂで閉塞されている。さらに、第１の部分３９ａの他端は、上記した入口３８に連通して接続されている。
【００７３】
第２の部分３９ｂは、障壁部２３の筒体１３に形成されている。第２の部分３９ｂは、軸線１０に沿って平行に延びている。第２の部分３９ｂの両端は、筒体１３の両側の端面１３ａに開口されている。
【００７４】
第３の部分３９ｃは、障壁部２３に対してスクリュ本体１１の先端の側から隣接した搬送部２２の筒体１３に形成されている。第３の部分３９ｃは、軸線１０に沿って平行に延びている。第３の部分３９ｃの一端（障壁部２３の側）は、筒体１３の端面１３ａに開口されている。第３の部分３９ｃの他端（障壁部２３とは反対側）は、筒体１３の端壁１３ｂで閉塞されている。さらに、第３の部分３９ｃの他端は、上記した出口４０に連通して接続されている。
【００７５】
通路本体３９は、第１ないし第３の部分３９ａ,３９ｂ,３９ｃが形成された３つの筒体１３を軸方向に締め付けて、その端面１３ａ同士を相互に密着させることで形成することができる。この状態において、通路本体３９は、スクリュ本体１１の軸方向に沿って、途中で分岐することなく、一直線状に連続して延びている。そして、当該通路本体３９の両側は、上記した入口３８および出口４０に連通して接続されている。
【００７６】
この場合、通路本体３９の口径は、入口３８および出口４０の口径よりも小さく設定してもよいし、同一の口径に設定してもよい。いずれの場合でも、当該通路本体３９の口径によって規定される通路断面積は、上記した円環形の搬送路２９の径方向に沿う円環断面積よりも遥かに小さく設定されている。
【００７７】
本実施形態において、フライト２５,２６,４１や障壁用円環状体２８の少なくとも一部が形成された各筒体１３は、各搬送部２２,２４や障壁部２３に対応したスクリュエレメントとして捉えることができる。
【００７８】
そうすると、スクリュ本体１１のうち混練部１１ｃが設けられた部分は、回転軸１４の外周上にスクリュエレメントとしての複数の筒体１３を順次配置することで構成することができる。このため、例えば原料の混練度合いに応じて、搬送部２２,２４や障壁部２３の交換および組み換えが可能であるとともに、交換および組み換え時の作業を容易に行うことができる。
【００７９】
さらに、スクリュエレメントとしての複数の筒体１３を軸方向に締め付けて、相互に密着させることで、各通路３７の通路本体３９が形成され、当該通路本体３９を介して通路３７の入口３８から出口４０までが一体的に連通される。このため、スクリュ本体１１に通路３７を形成するに当たっては、スクリュ本体１１（混練部１１ｃ）の全長に比べて長さが十分に短い各筒体１３のそれぞれに、通路３７を設けるための加工を施せばよい。よって、通路３７を形成する際の加工および取扱いが容易となる。
【００８０】
さらに、押出機用スクリュ２のスクリュ構造において、上記した導入部１５は、溶融混合部１１ｂから搬送された原料を連続して混練部１１ｃに導入する構造を有している。図１および図２には、かかる導入構造の一例が示されている。すなわち、導入部１５は、上記したユニットにおいて、上流側の搬送部２２に代えて、導入用筒体１３ｐを有して構成されている。導入用筒体１３ｐの外周面には、通路３７に連通した入口３８が形成されている。導入用筒体１３ｐは、混練部１１ｃにおけるスクリュ本体１１の基端に設けられた障壁部２３と、溶融混合部１１ｂの端面１６との間に隣接させて配置されている。
【００８１】
このような導入構造によれば、溶融混合部１１ｂから搬送された原料は、障壁部２３によって搬送が制限されることで圧力が高められ、導入用筒体１３ｐの入口３８に流入し、通路３７（通路本体３９）を流通した後、下流側の搬送部２２の出口４０から流出する。これにより、溶融混合部１１ｂから搬送された原料を連続して混練部１１ｃに導入させることができる。
【００８２】
次に、単軸の押出機用スクリュ２によって原料を混練する動作について説明する。この動作説明において、「スクリュ本体１１の外周面」とは、当該スクリュ本体１１の長手方向の両端面を含まない周方向に亘る外周面を指す。さらに、この動作説明では、押出機用スクリュ２を、例えば回転数５０ｒｐｍ〜１００ｒｐｍで逆時計回りに左回転させながら混練する場合を想定する。
【００８３】
図７および図８に示すように、押出機用スクリュ２を左回転させた状態において、供給口５からシリンダ３に材料６（図１参照）を供給する。
【００８４】
シリンダ３に供給されたペレット状の樹脂は、フライト１２によって、移送部１１ａから溶融混合部１１ｂに搬送される。溶融混合部１１ｂにおいて、樹脂は、ヒータにより加熱されつつ、主に連続的に狭くなった隙間からの圧縮を受ける。この結果、溶融混合部１１ｂからは、二種類の樹脂が溶融および混合された原料が搬送される。
【００８５】
溶融混合部１１ｂから搬送された原料は、導入部１５を介して混練部１１ｃに導入される。すなわち、溶融混合部１１ｂから搬送された原料は、障壁部２３によって搬送が制限されることで圧力が高められ、導入用筒体１３ｐの入口３８に流入し、通路本体３９を流通した後、下流側の搬送部２２の出口４０から流出する。
【００８６】
出口４０から流出した原料は、混練部１１ｃにおけるスクリュ本体１１の外周面に連続的に供給される。供給された原料は、搬送部２２のフライト２５によって、スクリュ本体１１の先端から基端に向かってＳ１方向に搬送される。
【００８７】
Ｓ１方向に搬送される間、原料には、搬送路２９に沿って旋回する搬送部２２のフライト２５とシリンダ３の内面３ｓとの間の速度差によって生じる「せん断作用」が付与されるとともに、螺旋状のフライト２５自体の旋回に伴う撹拌作用が付与される。これにより、当該原料に対する混練の度合いが促進される。
【００８８】
Ｓ１方向に搬送された原料は、その搬送が障壁部２３により制限される。すなわち、障壁部２３は、原料を、Ｓ１方向とは逆方向に、スクリュ本体１１の基端から先端に向かって押し戻すように作用する。この結果、当該原料は、障壁部２３によって、その流動が堰き止められる。
【００８９】
このとき、原料の流動が堰き止められることで、当該原料に加わる圧力が高められる。具体的に説明すると、図８には、搬送路２９のうちスクリュ本体１１（混練部１１ｃ）の搬送部２２に対応した箇所の原料の充満率がグラデーションで表されている。すなわち、当該搬送路２９において、色調が濃くなる程に原料の充満率が高くなっている。図８から明らかなように、搬送部２２に対応した搬送路２９において、障壁部２３に近づくに従って原料の充満率が高まっている。障壁部２３の直前で、原料の充満率は１００％となっている。
【００９０】
このため、障壁部２３の直前で、原料の充満率が１００％となる「原料溜まりＲ」が形成される。原料溜まりＲでは、原料の流動が堰き止められたことで、当該原料の圧力が上昇している。圧力が上昇した原料は、搬送部２２（筒体１３）の外周面に開口された入口３８から通路本体３９に連続的に流入し、当該通路本体３９内を、Ｓ１方向とは逆方向に、スクリュ本体１１の基端から先端に向かってＳ２方向に逆流する。
【００９１】
上記したように、通路本体３９の口径によって規定される通路断面積は、シリンダ３の径方向に沿う搬送路２９の円環断面積よりも遥かに小さい。別の捉え方をすると、通路本体３９の口径に基づく広がり領域は、円環形状の搬送路２９の広がり領域よりも遥かに小さい。このため、入口３８から通路本体３９に流入する際に、原料が急激に絞られることで、当該原料に「伸長作用」が付与される。
【００９２】
さらに、通路断面積が円環断面積よりも十分に小さいため、原料溜まりＲに溜まった原料が消滅することはない。すなわち、原料溜まりＲに溜まった原料は、その一部が連続的に入口３８に流入する。この間、新たな原料が、搬送部２２のフライト２５によって、障壁部２３に向けて送り込まれる。この結果、原料溜まりＲにおける障壁部２３の直前の充満率は、常に１００％に維持される。このとき、フライト２５による原料の搬送量に多少の変動が生じたとしても、その変動状態が、原料溜まりＲに残存した原料で吸収される。これにより、原料を、連続して安定的に通路本体３９に供給することができる。よって、当該通路本体３９において、原料に対し、途切れること無く連続的に伸長作用を付与することができる。
【００９３】
通路本体３９を通過した原料は、出口４０からスクリュ本体１１（混練部１１ｃ）の外周面に流出する。スクリュ本体１１（混練部１１ｃ）には、上記した搬送部２２と障壁部２３が軸方向に交互に並んでいるため、上記したような一連のせん断・伸長動作が繰り返されることで、シリンダ３内の原料は、せん断流動と伸長流動とが繰り返された状態で、スクリュ本体１１（混練部１１ｃ）の基端から先端に向かって連続的に搬送される。これにより、原料の混練の度合いが強化される。
【００９４】
そして、吐出用搬送部２４に形成された出口４０から流出した混練物は、吐出用搬送部２４のフライト２６によってＳ３方向に搬送された後、吐出口７（図１および図２参照）から連続的に押し出される。
【００９５】
以上、本実施形態によれば、原料に伸長作用を付与する機能を押出機用スクリュ２自体に持たせたことで、当該スクリュ２ないし単軸押出機を長尺化させること無く、原料に対する混練の度合いを向上させることができる。
【００９６】
本実施形態によれば、原料に対して、せん断作用と伸長作用とを連続的に複数回付与することができる。このため、原料に対するせん断作用と伸長作用の付与回数および付与時間を増やすことができる。この結果、従来に比べて、混練の度合いを精度よく制御することができる。
【００９７】
本実施形態によれば、基端から先端に向けて供給部，圧縮部，計量部を備え、かつ、内部に原料が流通する通路の無い既存の押出機用スクリュにおいて、供給部を移送部１１ａに、圧縮部を溶融混合部１１ｂに、そして、計量部を、搬送部２２と障壁部２３と通路３７を組合わせて配された混練部１１ｃに置き換える。これにより、当該既存の押出機用スクリュに、せん断作用を付与する機能と、伸長作用を付与する機能との双方の機能を持たせることができる。この結果、取り扱いのし易さを維持・向上させた押出機用スクリュ２を実現することができる。
【００９８】
また、本実施形態に係る押出機用スクリュ２は、混練部１１ｃにおける特定の原料の流れを追った場合、一度通ったところは二度と通らない一方通行型のスクリュ構造を有している。このため、混練部１１ｃにおいて、すべての原料に対して漏れなく伸長作用を付与することができる。さらに、一方通行型のスクリュ構造によれば、特定の原料の流れに、その前方または後方にある混練状態の異なる原料の流れが混入することは無い。これにより、すべての原料を万遍無くかつ均一に混練させることができる。
【００９９】
さらに、本実施形態によれば、混練部１１ｃが設けられた部分において、そのスクリュ本体１１（各筒体１３）の外径Ｄ１を一定値に設定、換言すると、スクリュ２の谷径を一定値に設定したことで、複数のスクリュエレメントを、自由な順番および組み合わせで保持させることが可能なセグメント式のスクリュ２を実現することができる。スクリュ２をセグメント化することで、例えば、当該スクリュ２の仕様の変更や調整、あるいは、保守やメンテナンスについて、その利便性を格段に向上させることができる。
【０１００】
さらに、本実施形態によれば、通路３７（通路本体３９）の断面積を、原料を搬送するための搬送路２９の断面積よりも遥かに小さく設定したことで、当該通路３７（通路本体３９）を通過する原料に対して、満遍無く安定してかつ効率良く伸長作用を付与することができる。
【０１０１】
以上、本発明の一実施形態について説明したが、本発明は、当該一実施形態に限定されることはなく、以下のような変形例も、本発明の技術的範囲に含まれる。  
上記した一実施形態において、図１、図２、図５には、通路本体３９の両側が、入口３８および出口４０の底部３８ａ,４０ａから外れた位置で、当該入口３８および出口４０に接続された通路３７が示されている。しかし、通路本体３９と、入口３８および出口４０との接続関係は、上記した一実施形態に限定されることは無く、以下のような接続関係も本発明の技術的範囲に含まれる。
【０１０２】
図９ないし図１４には一例として、通路本体３９の両側が、入口３８および出口４０の底部３８ａ,４０ａに接続された通路３７が示されている。具体的には、通路本体３９の一方側、すなわち、上記した第１の部分３９ａの他端が、入口３８の底部３８ａに接続されている。さらに、通路本体３９の他方側、すなわち、上記した第３の部分３９ｃの他端が、出口４０の底部４０ａに接続されている。
【０１０３】
図９（Ａ）,（Ｂ）および図１０（Ａ）,（Ｂ）には、第１変形例に係る通路３７が示されている。当該通路３７において、入口３８の底部３８ａには、通路本体３９の一方側（第１の部分３９ａの他端）の端面が接続されている。底部３８ａには、通路本体３９（第１の部分３９ａ）に連通した１つの開口３８ｂが形成されている。一方、出口４０の底部４０ａには、通路本体３９の他方側（第３の部分３９ｃの他端）の端面が接続されている。底部４０ａには、通路本体３９（第３の部分３９ｃ）に連通した１つの開口４０ｂが形成されている。
【０１０４】
入口３８の１つの開口３８ｂは、スクリュ本体１１の外周面に向かって末広がり形状となった底部３８ａに対向した領域に形成されている。一方、出口４０の１つの開口４０ｂは、スクリュ本体１１の外周面に向かって末広がり形状となった底部４０ａに対向した領域に形成されている。
【０１０５】
この場合、入口３８に流入した原料は、底部３８ａの傾斜に沿って開口３８ｂに向けて案内される。この結果、原料は、当該入口３８内で滞留すること無く、その全てが連続して円滑に通路本体３９に流入する。通路本体３９を通過した原料は、続いて、出口４０に流入する。出口４０に流入した原料は、底部４０ａの傾斜に沿ってスクリュ本体１１の外周面に向けて案内される。この結果、原料は、当該出口４０内で滞留すること無く、その全てが連続して円滑にスクリュ本体１１の外周面に流出する。
【０１０６】
これにより、通路３７内で原料が局所的に滞留するのを回避しつつ、当該通路３７を通過する原料に対して、漏れ無くかつ満遍無く連続的に伸長作用を付与することができる。
【０１０７】
図１１（Ａ）,（Ｂ）および図１２（Ａ）,（Ｂ）には、第２変形例に係る通路３７が示されている。当該通路３７において、入口３８の底部３８ａには、通路本体３９の一方側（第１の部分３９ａの他端）の端面３９ｓ寄りの部分、すなわち、端面３９ｓの手前の部分が接続されている。底部３８ａには、通路本体３９（第１の部分３９ａ）に連通した２つの開口３８ｂが形成されている。一方、出口４０の底部４０ａには、通路本体３９の他方側（第３の部分３９ｃの他端）の端面３９ｓ寄りの部分、すなわち、端面３９ｓの手前の部分が接続されている。底部４０ａには、通路本体３９（第３の部分３９ｃ）に連通した２つの開口４０ｂが形成されている。
【０１０８】
入口３８の２つの開口３８ｂは、スクリュ本体１１の外周面に向かって末広がり形状となった底部３８ａに対向した領域に形成されている。一方、出口４０の２つの開口４０ｂは、スクリュ本体１１の外周面に向かって末広がり形状となった底部４０ａに対向した領域に形成されている。なお、第２変形例に係る通路３７の作用および効果は、上記した第１変形例に係る通路３７と同様であるため、その説明は省略する。
【０１０９】
上記した一実施形態および変形例において、入口３８および出口４０の開口方向は、軸線１０に直交する方向を想定しているが、これに限定されることは無い。例えば、図１３（Ａ）,（Ｂ）および図１４（Ａ）,（Ｂ）に示すように、入口３８および出口４０の開口方向を、軸線１０を交差する方向（点線で示す方向）に設定してもよい。この場合、通路本体３９の両側から複数方向に開口し、これにより、複数の入口３８,３８−１および複数の出口４０,４０−１を設けるようにしてもよい。
【０１１０】
さらに、入口３８については、これをスクリュ本体１１の外周面よりも窪ませて構成することが好ましい。これにより、さらに原料を入口３８に流入し易くすることができる。
【０１１１】
また、上記した一実施形態では、通路３７（具体的には、通路本体３９）を、混練部１１ｃにおけるスクリュ本体１１（筒体１３）の内部に構成した場合を想定したが、これに代えて、スクリュ本体１１（混練部１１ｃ）を構成する各筒体１３の内周面に沿って回転軸１４を貫通させたときに、各筒体１３と回転軸１４との境界部分に通路３７（通路本体３９）が構成されるようにしてもよい。なお、本変形例の構成として、図１５ないし図１８には、図３に対応した部分の構成が示されている。
【０１１２】
図１５に示された通路３７は、筒体１３の内周面の一部を軸方向に沿って凹状に窪ませた壁面３０ａによって構成されている。この場合、筒体１３の内周面に回転軸１４を貫通させることで、壁面３０ａと回転軸１４の外周面とで囲まれた通路３７を規定することができる。
【０１１３】
図１６に示された通路３７は、回転軸１４の外周面の一部を軸方向に沿って凹状に窪ませた壁面３０ｂによって構成されている。この場合、筒体１３の内周面に回転軸１４を貫通させることで、壁面３０ｂと筒体１３の内周面とで囲まれた通路３７を規定することができる。
【０１１４】
図１７に示された通路３７は、キー１７の外周面の一部を軸方向に沿って凹状に窪ませた壁面３０ｃによって構成されている。この場合、筒体１３の内周面に回転軸１４を貫通させることで、壁面３０ｃとキー溝１９の溝底面とで囲まれた通路３７を規定することができる。
【０１１５】
いずれの通路３７においても、外部に露出した部分を凹状に加工するだけで、壁面３０ａ,３０ｂ,３０ｃを形成することができるため、形成作業を容易に行うことができる。この場合、凹状の壁面３０ａ,３０ｂ,３０ｃの形状として、例えば、半円形状、三角形状、楕円形状、矩形状など各種の形状を適用することができる。
【０１１６】
また、上記した一実施形態では、スクリュ本体１１のうち混練部１１ｃが設けられた部分を、複数の筒体１３と回転軸１４とによって構成したが、これに代えて、図１８に示すように、真っ直ぐな１本の軸状部材２ｔによってスクリュ本体１１（混練部１１ｃ）を構成してもよい。この場合、当該ソリッドなスクリュ本体１１（混練部１１ｃ）に、上記したような搬送部や障壁部、通路３７が設けられる。なお、図面には一例として、軸線１０に対して偏心した位置に設けられ、筒状の壁面３０ｄによって規定された一対の通路３７が示されているが、これにより各通路３７の配置が限定されるものではない。
【０１１７】
また、上記した一実施形態では、１本の押出機用スクリュ２がバレル４のシリンダ３に回転可能に挿通された単軸押出機１を想定したが、これに代えて、２本の押出機用スクリュ３１がバレル３２のシリンダ３３に回転可能に挿通された二軸押出機３４にも、本発明の技術思想が適用可能であり、同様の効果を実現することができる。
【０１１８】
図１９には、二軸押出機３４の一例が示されている。同図には、２本の押出機用スクリュ３１のうち、一方の押出機用スクリュ３１のみが示されている。他方の押出機用スクリュは、当該一方の押出機用スクリュ３１の陰に隠れているため示されていない。
【０１１９】
二軸押出機３４において、２本の押出機用スクリュ３１は、互いに噛み合わせた状態で同方向に回転させることができる。上記した一実施形態と同様に、２本の押出機用スクリュ３１にも、当該スクリュ３１と一体となって回転するスクリュ本体１１が設けられている。各押出機用スクリュ３１を互いに噛み合わせた状態において、各スクリュ本体１１相互間には、当該スクリュ本体１１の基端から先端に向かって順に、移送部１１ａ、溶融混合部１１ｂ、混練部１１ｃが構成されている。
【０１２０】
移送部１１ａは、供給口５からシリンダ３３内に供給された複数の材料６を、溶融混合部１１ｂに向けて連続的に搬送する。移送部１１ａにおける各スクリュ本体１１には、その外周面に、螺旋状のフライト３５が連続して形成されている。フライト３５は、供給口５からシリンダ３３内に供給された各材料６を、移送部１１ａから溶融混合部１１ｂに向けて連続的に搬送するように構成されている。このため、フライト３５は、スクリュ本体１１の回転方向とは逆方向にねじれている。
【０１２１】
溶融混合部１１ｂは、移送部１１ａから搬送された各材料６を連続的に溶融して混合する。溶融混合部１１ｂにおける各スクリュ本体１１は、軸方向に沿って隣接した複数のディスク３６を備えて構成されている。複数のディスク３６は、隣り合うディスク３６に位相差が与えられた状態で配置されている。
【０１２２】
混練部１１ｃにおいて、各スクリュ本体１１には、上記した一実施形態と同様に、搬送部２２および障壁部２３が軸方向に沿って交互に並べて配置されている。なお、バレル４において、シリンダ３３の内面３３ｓは、互いに噛み合わせた状態の２本の押出機用スクリュ３１を共に収容し、かつ、同方向に同時に回転させることができるような形状に構成されている。その他の構成についての説明は、上記した一実施形態と同様であるため省略する。
【０１２３】
このような二軸押出機３４によれば、２本の押出機用スクリュ３１を、例えば回転数１００ｒｐｍ〜３００ｒｐｍで同方向に回転させた状態において、供給口５からシリンダ３３内に供給された複数の材料６は、移送部１１ａから溶融混合部１１ｂに連続的に搬送される。溶融混合部１１ｂにおいて、各材料６は、連続的に溶融および混合される。このとき、溶融および混合された材料６は、混練用原料となって、溶融混合部１１ｂから混練部１１ｃに搬送される。そして、搬送された原料は、上記した導入部１５を介して混練部１１ｃに導入された後、混練の度合いが高められた混練物となって、吐出口７から連続的に押し出される。
【０１２４】
ここで、二軸押出機３４において、溶融混合部１１ｂから導入部１５に原料を送り出す搬送作用が不足する場合には、溶融混合部１１ｂと導入部１５の間に、原料送出機構を設けることが好ましい。原料送出機構としては、例えば、移送部１１ａに設けられているフライト３５と同様のフライトが形成された筒体１３を用意し、かかる筒体１３を、溶融混合部１１ｂと導入部１５の間に挿入配置させればよい。これにより、溶融混合部１１ｂから導入部１５に原料を過不足なく送り出すことができる。
【０１２５】
なお、上記した実施形態において、本発明の技術思想（混練の度合いを向上させる押出技術）は、複数の材料６を混練する場合に適用させているが、これに限定されることはなく、１種類の材料を溶融した際に、微小な未溶融部分の発生を防止したり、樹脂温度の微小な不均一部分の発生を防止したりする場合にも適用される。
【符号の説明】
【０１２６】
２…押出機用スクリュ、１０…軸線、１１…スクリュ本体、１１ａ…移送部、
１１ｂ…溶融混合部、１１ｃ…混練部、１２…フライト、１３…筒体、
１３ｐ…導入用筒体、１４…回転軸、１５…導入部、２２…搬送部、２３…障壁部、
２４…吐出用搬送部、２５,２６…フライト、２７…隙間、２８…障壁用円環状体、
２９…搬送路、３７…通路、３８…入口、３９…通路本体、４０…出口。
【図１】
2015227053.tif 000003
【図２】
2015227053.tif 000004
【図３】
2015227053.tif 000005
【図４】
2015227053.tif 000006
【図５】
2015227053.tif 000007
【図６】
2015227053.tif 000008
【図７】
2015227053.tif 000009
【図８】
2015227053.tif 000010
【図９】
2015227053.tif 000011
【図１０】
2015227053.tif 000012
【図１１】
2015227053.tif 000013
【図１２】
2015227053.tif 000014
【図１３】
2015227053.tif 000015
【図１４】
2015227053.tif 000016
【図１５】
2015227053.tif 000017
【図１６】
2015227053.tif 000018
【図１７】
2015227053.tif 000019
【図１８】
2015227053.tif 000020
【図１９】
2015227053.tif 000021
【図２０】
2015227053.tif 000022